(57)【要約】  【課題】コントラスト補正(特のコントラストを高める補正)と輪郭補正を同時に行う場合において、ノイズ成分をも同時に増幅して見にくい映像となることを防止する。  【解決手段】映像信号一画面分の輝度分布を検出する特徴検出回路(3)と、前記映像信号のコントラストを補正するコントラスト補正回路(6)と、映像信号の輪郭部分を補正する輪郭補正回路(5)と、特徴検出回路により検出された輝度分布に基づいて制御対象となる輝度範囲を判定し、該輝度範囲に属する映像信号に対して所定の補正を行うように前記コントラスト補正回路及び輪郭補正回路を制御する制御回路(4)とを設けた。そして、この制御回路(4)によって、前記輝度範囲の映像信号に対してそれ以外の映像信号よりもコントラストを高くするようにコントラスト補正回路(6)を制御し、かつ前記輝度範囲の映像信号に対してそれ以外の映像信号よりも輪郭補正量を小さくするように輪郭補正回路(5)を制御する。【選択図】  図１
2005175735.tif 000002
【特許請求の範囲】
【請求項１】
映像信号処理装置において、
映像信号のコントラストを補正するコントラスト補正回路と、映像信号の輪郭部分を補正する輪郭補正回路とを備え、
前記コントラスト補正回路が映像信号のコントラストを高めるように補正を行う輝度範囲において、前記輪郭補正回路は、当該映像信号の輪郭部分に対する輪郭補正量を、前記輝度領域以外の映像信号に対する輪郭補正量よりも小さくすることを特徴とする映像信号処理装置。
【請求項２】
前記輝度範囲は、検出された前記映像信号一画面分における輝度分布に基づき定められることを特徴とする請求項１に記載の映像信号処理装置。
【請求項３】
映像信号処理装置において、
映像信号のコントラストを補正するコントラスト補正回路と、映像信号の輪郭部分を補正する輪郭補正回路と、制御回路とを備え、
前記制御回路は、輝度に関する特徴量が所定値を超える輝度範囲の映像信号に対し、そのコントラストを高める補正を行うよう前記コントラスト補正回路を制御し、かつ前記輝度範囲の映像信号に対する輪郭補正量が、該輝度範囲以外の映像信号に対する輪郭補正量よりも小さくなるように前記輪郭補正回路を制御することを特徴とする映像信号処理装置。
【請求項４】
映像信号処理装置において、
映像信号一画面分の輝度分布を検出する検出回路と、前記映像信号のコントラストを補正するコントラスト補正回路と、映像信号の輪郭部分を補正する輪郭補正回路と、前記検出回路により検出された輝度分布に基づいて制御対象となる輝度範囲を判定し、該輝度範囲に属する映像信号に対して所定の補正を行うように前記コントラスト補正回路及び輪郭補正回路を制御する制御回路とを備え、
前記制御回路は、前記輝度範囲の映像信号に対してそれ以外の映像信号よりもコントラストを高くするように前記コントラスト補正回路を制御し、かつ前記輝度範囲の映像信号に対してそれ以外の映像信号よりも輪郭補正量を小さくするように前記輪郭補正回路を制御することを特徴とする映像信号処理装置。
【請求項５】
前記検出回路は、前記映像信号一画面分の輝度分布として、映像信号一画面分における階調毎のヒストグラムを検出することを特徴とする請求項４に記載の映像信号処理装置。
【請求項６】
前記検出回路は、前記映像信号一画面分の各階調における画素の個数を計数して前記ヒストグラムを検出することを特徴とする請求項５に記載の映像信号処理装置。
【請求項７】
前記制御回路は、前記検出回路で検出されたヒストグラムから、所定の画素数以上の階調範囲を前記輝度範囲として判定することを特徴とする請求項６に記載の映像信号処理装置。
【請求項８】
前記検出回路は、所定の輝度レベルよりも低い輝度レベルの画素を検出し、前記制御回路は、該検出結果に応じて前記輪郭補正回路の補正量を制御することを特徴とする映像信号処理装置。
【請求項９】
請求項１乃至８のいずれかに記載の映像信号処理装置において、前記輪郭補正回路は、映像信号から輪郭部分の信号を抽出するフィルタ回路と、該フィルタ回路から出力された輪郭信号に対してコアリングを行うコアリング回路と、該コアリング回路によりコアリングされた輪郭信号の利得を制御する利得制御回路とを有することを特徴とする映像信号処理装置。
【請求項１０】
請求項９に記載の映像信号処理装置において、前記制御回路は、前記コアリング回路におけるコアリング量を制御することによって輪郭補正量を制御することを特徴する映像信号処理装置。
【請求項１１】
請求項９に記載の映像信号処理装置において、前記制御回路は、利得制御回路の利得を制御することにより輪郭補正量を制御することを特徴とする映像信号処理装置。
【請求項１２】
請求項１乃至１０のいずれかに記載の映像信号処理装置において、前記輪郭補正回路による輪郭補正後に前記コントラスト補正回路によるコントラスト補正を行うことを特徴とする映像信号処理装置。
【請求項１３】
請求項１乃至１０のいずれかに記載の映像信号処理装置において、前記コントラスト補正回路によるコントラスト補正後に前記輪郭補正回路による輪郭補正を行うことを特徴とする映像信号処理装置。
【請求項１４】
映像信号のコントラストを補正するコントラスト補正回路と、映像信号の輪郭部分を補正する輪郭補正回路と、該コントラスト補正及び輪郭補正された映像信号に基づく映像が表示される画素選択型の表示部とを備えたテレビジョン受信機において、
前記コントラスト補正回路が映像信号のコントラストを高める補正を行う輝度範囲においては、前記輪郭補正回路は、当該映像信号の輪郭部分に対する輪郭補正量を、前記輝度領域以外の映像信号に対する輪郭補正量よりも小さくすることを特徴とするテレビジョン受信機。
【請求項１５】
映像信号のコントラストを補正するコントラスト補正回路と、映像信号の輪郭部分を補正する輪郭補正回路と、該コントラスト制御回路と該輪郭補正回路とを制御する制御回路と、該コントラスト補正及び輪郭補正された映像信号に基づく映像が表示される画素選択型の表示部とを備えたテレビジョン受信機において、
前記制御回路は、輝度に関する特徴量が所定値を超える輝度範囲の映像信号に対し、そのコントラストを高める補正を行うよう前記コントラスト補正回路を制御し、かつ前記輝度範囲の映像信号に対する輪郭補正量が、該輝度範囲以外の映像信号に対する輪郭補正量よりも小さくなるように前記輪郭補正回路を制御することを特徴とするテレビジョン受信機。
【請求項１６】
テレビジョン受信機において、
映像信号一画面分の輝度分布を検出する検出回路と、前記映像信号のコントラストを補正するコントラスト補正回路と、映像信号の輪郭部分を補正する輪郭補正回路と、前記検出回路により検出された輝度分布に基づいて制御対象となる輝度範囲を判定し、該輝度範囲に属する映像信号に対して所定の補正を行うように前記コントラスト補正回路及び輪郭補正回路を制御する制御回路とを有する映像信号処理装置を備え、
前記制御回路は、前記輝度範囲の映像信号に対してそれ以外の映像信号よりもコントラストを高くするように前記コントラスト補正回路を制御し、かつ前記輝度範囲の映像信号に対してそれ以外の映像信号よりも輪郭補正量を小さくするように前記輪郭補正回路を制御することを特徴とするテレビジョン受信機。
【請求項１７】
入力された映像信号に対しコントラスト補正及び輪郭補正を行う映像信号処理方法において、前期入力映像信号一画面分における各階調の分布を示す輝度ヒストグラムを検出し、該輝度ヒストグラムに基づき所定分布以上の階調範囲に属する映像信号についてそのコントラストを高めるように補正するとともに、該所定分布以上の階調範囲に属する映像信号に対する輪郭補正量を他の階調範囲に属する映像信号に比べ減少するように制御することを特徴とする映像信号処理方法。
【発明の詳細な説明】
【技術分野】
【０００１】
本発明は、映像信号に対し、例えばコントラスト調整、輪郭補正等の信号処理を行う映像信号処理装置、及びそれを用いたテレビジョン受信機、並び映像信号処理方法に関する。
【背景技術】
【０００２】
テレビジョン受信機等におけるコントラスト補正機能に係る従来技術としては、例えば下記特許文献１に記載されているように、ように、映像の輝度信号の最大、最小レベル、平均輝度レベルを検出してこれらに基づきコントラスト補正制御するものが知られている。またシャープネス調整機能、すなわち輪郭補正機能に係る従来技術としては、例えば下記特許文献２に記載されているように、映像信号の高域成分を抽出し、これを元の映像に加算することにより輪郭補正(強調)するものが知られている。
【０００３】
【特許文献１】特許第３２１５４００号公報（図１、図３６）
【０００４】
【特許文献２】特開平５−５６３０８号公報
【発明の開示】
【発明が解決しようとする課題】
【０００５】
上記特許文献１に記載の従来技術では、映像の特徴を検出し表示装置のダイナミックレンジに合わせて、コントラストを向上するように信号利得を制御している。しかしながら、信号利得を上げると映像の振幅が大きくなるとともに、映像に含まれるノイズ成分も増幅される。一方、輪郭補正回路は、上述のように映像信号から水平、垂直方向の高域成分を抽出して増幅することにより行われるが、映像に含まれるノイズ成分も比較的高域に分布しているため、映像の輪郭とともにノイズ成分も増幅（強調）してしまう場合がある。
【０００６】
すなわち、コントラストを高くする補正を行っている状態において更に輪郭補正を行うと、二重にノイズ成分を増幅することとなる。従って、これら２つの補正機能を備えた装置では、コントラストを高くする補正を行っている状態下においては（すなわち特定の特徴を持つ映像信号に対しては）、よりノイズ成分が大きくなり、映像によってはノイズの影響により映像が見辛くなる可能性がある。従来においては、コントラスト補正(特にコントラストを高める補正)と輪郭補正を同時に行う場合におけるノイズ強調の問題については考慮されていなかった。
【０００７】
本発明は、このような課題に鑑みて為されたものであって、その目的は、ノイズの少ない高画質な映像を得ることが可能な技術を提供することにある。
【課題を解決するための手段】
【０００８】
上記目的を達成するために、本発明は、特定の特徴をもつ映像信号についてそのコントラストを高めるように補正する場合においては、輪郭補正を弱めるように制御することを特徴とするものである。具体的には、映像信号処理装置において、映像信号一画面分の輝度分布を検出する検出回路と、前記映像信号のコントラストを補正するコントラスト補正回路と、映像信号の輪郭部分を補正する輪郭補正回路と、前記検出回路により検出された輝度分布に基づいて制御対象となる輝度範囲を判定し、該輝度範囲に属する映像信号に対して所定の補正を行うように前記コントラスト補正回路及び輪郭補正回路を制御する制御回路とを設ける。そして、前記制御回路によって、前記輝度範囲の映像信号に対してそれ以外の映像信号よりもコントラストを高くするように前記コントラスト補正回路を制御し、かつ前記輝度範囲の映像信号に対してそれ以外の映像信号よりも輪郭補正量を小さくするように前記輪郭補正回路を制御する。
【０００９】
上記検出回路は、前記映像信号一画面分の各階調における画素の個数を計数して該一画面の輝度分布、すなわちヒストグラムを検出するものであり、この検出されたヒストグラムから、所定の画素数以上の階調範囲を前記輝度範囲として判定するようにしてもよい。
【発明の効果】
【００１０】
本発明によれば、ノイズが少ない高画質な映像を得ることが可能となる。
【発明を実施するための最良の形態】
【００１１】
以下、図面を参照しつつ本発明の好ましい実施の形態について説明する。図１は、本発明に係る映像信号処理装置の実施形態の一例を示す。この映像信号処理装置は、テレビジョン受信機などの表示装置に用いられるが、ＶＴＲやＤＶＤ装置、またはセット・トップ・ボックス(ＳＴＢ)と呼ばれるデジタルテレビジョン放送信号を受信するデジタルチューナー等、表示部を有さない装置にも同様に用いることができる。
【００１２】
図１において、デジタル形式の映像信号(以下、これを単に映像信号と称する)が映像入力端子１に入力され、映像の特徴検出回路３及び輪郭補正回路５にそれぞれ供給される。特徴検出回路３は、入力された映像信号の特徴、例えば映像信号一画面分の輝度分布(ヒストグラム)を検出し、その検出結果を制御回路４に出力する。制御回路４は、輪郭補正回路５及びコントラスト補正回路６を制御するものであり、上記検出結果に基づいてコントラスト補正や輪郭補正を行う輝度範囲を判定し、この判定結果に基づき各種制御信号を作成して輪郭補正回路５及びコントラスト補正回路６へ出力する。一方、輪郭補正回路５は、入力された映像信号の水平、垂直方向の高域成分、すなわち輪郭(エッジ)部分を抽出し、これをコアリング及び利得補正を行って当該輪郭部分の信号を増幅し、これを元の映像信号に加算することにより輪郭部分が強調された映像信号を得るものである。このコアリング量及び利得は、制御回路４により制御される。輪郭補正回路５から出力された映像信号は、コントラスト補正回路６に入力され、上記制御回路４で判定された輝度範囲の映像信号に対してコントラストを高めるように補正を行う。上記輝度範囲におけるコントラスト補正量は、制御回路４からの制御信号により定められる。コントラスト補正回路から出力された映像信号は、映像出力端子２を介して例えば液晶パネルなどの表示部へ供給される。
【００１３】
次に、図１に示した各回路の詳細について説明する。まず特徴検出回路３の詳細について図４(A)を参照しつつ説明する。下記説明において、映像信号は８ビットで表されるものとする。特徴検出回路３は、映像信号の画素毎の輝度レベルを順次検出する機能と輝度レベル毎の画素数をカウントするカウンタ（図示せず）を含んでいる。カウンタは、各輝度レベル（例えば８階調毎）に対応して複数設けられており、それぞれのカウンタは、対応する輝度レベル毎に、当該輝度レベルに属する画素数を計数する。ここで画素数とは、例えば液晶パネルやプラズマディスプレイパネル等の固定画素型表示パネルの画素数であり、例えば水平×垂直が1024×1024のパネルであれば、その表示パネルの画素数は1048576個となる。上記カウンタによる計数結果は、例えば表１のようになる。
【００１４】
【表１】
2005175735.tif 000003
【００１５】
そして特徴検出回路は、上記表１のようなカウント結果に基づいて、例えば図４(A)に示されるような、入力された映像信号の一画面におけるヒストグラムを検出する。このヒストグラムは、横軸を階調（輝度レベル）としており、前述したように映像信号が８ビットで表されるため０〜２５５の値をとる。また縦軸は分布度数（画素数）を示している。このようなヒストグラムを作成することにより、一画面においてどの階調が多く分布しているか（すなわちどの輝度レベルの画素が多いのか）が把握できる。
【００１６】
制御回路４は、上記特徴検出回路４によって得られたヒストグラムに基づいて、どの階調の分布が高いのか、すなわちどの輝度範囲の画素数が多いのかを判定する。この判定処理には、図４(A)に示されるような所定の閾値ｈ１を用いる。すなわち、各輝度レベルの画素数と閾値ｈ１とを比較し、この閾値ｈ１よりも多い画素数を有する輝度レベルの範囲を、上記輪郭補正回路５及びコントラスト補正回路６を制御するための輝度範囲として判定し、その輝度範囲の情報を表す第１制御信号を出力する。ここでは、閾値ｈ１よりも高い分布度数の(つまり閾値ｈ１よりも大きい画素数を持つ)輝度レベルとして、ＬＶ１〜ＬＶ２の範囲を当該輝度範囲として判定することとする。そして制御回路４は、上記輝度範囲(ＬＶ１〜ＬＶ２)を表す第１制御信号とともに、輪郭補正の補正量が当該輝度範囲以外のものよりも小さくするための第２制御信号と、当該輝度範囲においてコントラスト（他の輝度範囲に比べて）を高くするための第３制御信号を作成し出力する。上記第２制御信号は、コアリング量Ｃと輪郭信号に対する利得制御量Ｇの情報を含み、また第３制御信号は、コントラスト制御量Ｒの情報を含む。
【００１７】
次に、輪郭補正回路５の一具体例について図２を参照しつつ説明する。映像入力端子７に入力された映像信号は、高域通過フィルタ(ＨＰＦ)に供給され、映像の高域周波数成分、つまり輪郭部分(エッジ成分)が抽出される。この抽出されたエッジ成分は、コアリング回路１０に供給され、コアリング量制御端子１３に入力された制御回路４からの第２制御信号(コアリング量Ｃ)により定まるコアリング量で、コアリング処理が為される。コアリング回路１０からの出力信号は、利得制御回路１１に供給され、その利得が利得制御端子１４に入力された制御回路４からの第２制御信号(利得制御量Ｇ)により調整される。利得制御回路１１からの出力信号は、加算器１２にて元の映像信号(映像入力端子７に入力された信号)と加算される。これにより映像の輪郭部分の強調、すなわち輪郭補正が行われる。ここで、高域通過フィルタ９は映像の水平方向、垂直方向、斜め方向のいずれかの高域周波数成分を抽出するものであってもよいし、複数方向の高域周波数成分を抽出するものであってもよい。次に、コアリング回路１０及び利得制御回路１１の入出力特性について図3を用いて説明する。図３(A)はコアリング回路１０の入出力特性(コアリング制御の特性)の例であり、横軸が入力信号振幅、縦軸が出力信号振幅を示している。コアリング量制御端子１３に入力されたコアリング量Ｃが０(Ｃ＝０)の場合、図３(A)の実線で示すように、入力＝出力となる。一方、コアリング量制御端子１３に入力されたコアリング量Ｃが０でない(Ｃ＞０)の場合、点線で示すようにコアリング量Ｃ分特性直線がシフトし、設定された(上記第２制御信号に含まれる)コアリング量Ｃ以下の入力振幅で出力がゼロとなるような特性となる。図３(B)は利得制御回路１１の入出力特性(利得制御の特性)の例であり、横軸が入力信号振幅、縦軸が出力信号振幅を示している。利得制御端子１４に入力された利得制御量Ｇが１(Ｇ＝１)の場合、図３（B）の実線で示すように、入力＝出力となる。一方、利得制御端子１４に入力された利得制御量Ｇが１より大きい(Ｇ＞１)ではグラフの傾きが大きく、逆に利得制御量Ｇが１より小さい(Ｇ＜１)ではグラフの傾きが小さくなるような特性となっている。図３（C）は、コアリング制御と利得制御の総合特性を示す。この総合特性で得られる出力振幅が輪郭補正量となる。すなわち、制御回路４で求められた輪郭補正量は、上述したコアリング量Ｃと利得制御量Ｇに分配されるようになっている。なお、図３(A)、(B)、(C)では、負方向のグラフを示していないが、負方向は、原点を中心とした正方向との点対称の特性をとる。
【００１８】
続いて、コントラスト補正回路６について説明する。コントラスト補正回路６は、予め定められた入出力特性に基づいて入力信号のレベル変換を行って出力するものである。この入出力特性は、リニアであってもよく所定のガンマ曲線を描くものであってもよいが、外部からの信号により局部的に変化され得るようになっている。つまり、本実施形態に係るコントラスト補正回路６は、その入出力特性が、制御回路４からの第１制御信号で表される輝度範囲(入力信号のレベルの範囲)と、第３制御信号に含まれるコントラスト制御量Ｒとに応じて可変されるように構成されている。
【００１９】
以上のような輪郭補正回路５及びコントラスト補正回路６を用いた上で、図１に示した実施形態の動作の一例について、図４を参照しつつ説明する。上述したように、特徴検出回路３は、例えば図４(A)に示すような映像１枚分の輝度分布(ヒストグラム)を検出し、制御回路４は、この検出された輝度分布から、所定の閾値h1よりも分布が高い輝度範囲を判定する。ここでは、図４(A)に示すようにＬＶ１〜ＬＶ２が分布の高い輝度領域と制御回路が判定するものとする。そして制御回路４は、上述したように、当該ＬＶ１〜ＬＶ２の輝度範囲を示す第１制御信号を出力する。
【００２０】
図４(B)はコントラスト補正回路６の入出力特性を示しており、横軸が入力輝度レベル、縦軸が出力輝度レベルである。また通常時(制御回路４から制御信号が入力されない状態)において、入出力特性は一点鎖線で示すようにリニアであるものとする。コントラスト補正回路６は、制御回路４から出力された第１制御信号が示す輝度範囲(ＬＶ１〜ＬＶ２の範囲)において、入出力特性の傾きを急峻にし、輝度分布の少ない領域（ＬＶ１以下の輝度領域とＬＶ２以上の輝度領域）では、それよりも傾きを緩やかにするように制御される。このとき、第１制御信号が示す輝度範囲における入出力特性の傾きは、制御回路４からの第３制御信号に含まれるコントラスト補正量Ｒに応じて定められる。また、輝度範囲以外の部分における入出力特性の傾きも、上記第３制御信号に含まれるコントラスト補正量Ｒに応じて適応的に調整される。本実施形態では、このように制御することによって、１枚の映像において分布が多い輝度レベルのコントラストを向上することができる。
【００２１】
図４(C)は輪郭補正回路５における輪郭補正量の制御特性を示している。輪郭補正回路５にも、上記制御回路４からの第１制御信号が入力される。そして輪郭補正回路５は、この第１制御信号が示す輝度範囲(ＬＶ１〜ＬＶ２の範囲)における輪郭補正量が、図４(C)に示すように、それ以外の領域（ＬＶ１以下の輝度領域とＬＶ２以上の輝度領域）よりも小さくなるように制御される。すなわち、輪郭補正回路５は、輝度分布が高く、コントラスト補正回路６の入出力特性を急峻にされる(すなわちコントラストが高くなるように補正される)輝度範囲(ＬＶ１〜ＬＶ２の範囲)において補正量が小さくされ、逆に輝度分布が少なく、コントラスト補正回路６の入出力特性が緩やかにされる(すなわちコントラストが低くなるように補正される)輝度領域(ＬＶ１以下の輝度領域とＬＶ２以上の輝度領域)において補正量が高くされるように、制御回路４によって制御される。
【００２２】
図４(D)には、輝度分布が低い領域（ＬＶ１以下の輝度領域とＬＶ２以上の輝度領域）における輪郭補正量の振幅特性を示す。この領域においては、コアリング量を小さく(Ｃ１)、利得(Ｇ１)を大きく設定することにより、小振幅信号から大振幅信号まで輪郭補正量を大きくする。図４（E）には、輝度分布が高い輝度範囲（LV1からLV2の領域）における輪郭補正量の振幅特性を示す。この範囲においては、コアリング量を大きく(Ｃ２)、利得(Ｇ２)を小さく設定することにより、ノイズを含む小振幅信号の補正を抑制し、大振幅信号については輪郭補正量を確保する。
【００２３】
以上の様に制御することによって、コントラストを高く補正したときには輪郭補正が弱くされるので、コントラスト補正回路６と輪郭補正回路５によって二重にノイズ成分を増幅することを防止できる。従って、本実施形態によれば、コントラストを高くした輝度レベルのノイズを軽減し、品質の高い映像を得ることができる。
【００２４】
ここで、上記輪郭補正回路５における補正量制御方法としては、前述のようにコアリング制御と利得制御による方法がある。使い方としては、例えば、アナログ映像のように、比較的小振幅ノイズが多い映像では、コアリング量により補正量を制御することが有効である。この場合、振幅の小さなノイズ成分を強調せず、比較的振幅の大きな本来の映像を強調することができる。また、デジタル映像の場合、デジタル圧縮伸張による発生するモスキートノイズ、ブロックノイズなど、比較的振幅の大きなノイズが多く、利得制御により補正量を制御することによりノイズを軽減することが有効である。さらに、コアリング制御と利得制御を組み合わせ制御も有効であることは言うまでもない。
【００２５】
次に、本発明の他の実施形態について図５を参照しつつ説明する。図５は、図１に示した実施形態において抑圧輝度レベル入力端子１５を付加したものであり、図１と同一符号のものは同一機能を備えるものとする。制御回路４では、入力端子１５により設定される抑圧輝度レベルを基準に、それ以下の輝度レベルにおいて輪郭補正回路５における輪郭補正量を抑圧制御する。その動作例を図６に示す。図６(A)、(B)、(C)はそれぞれ図４と同様に、特徴検出回路３によって検出された映像信号一画面分の輝度分布、コントラスト補正回路６の入出力特性、輪郭補正回路５の補正特性を示している。コントラスト補正回路６は、図６(B)に示すように、分布の高い輝度範囲(閾値ｈ２以上の輝度レベル)においてコントラストを高くするように、当該輝度範囲（図６(B)の(E)で示す輝度レベルＬＶ３より小さい領域）における入出力特性の傾きを急峻にするように、制御回路４により制御される。また、輪郭補正回路５は、コントラスト補正特性を急峻にした輝度レベル領域で、且つ、入力端子１５に入力され、制御回路４によって設定された抑圧輝度レベルＬＶ４（図６(C)の(F)で示す領域）以下の輝度レベルにおいて、その輪郭補正量が他の領域の輪郭補正量よりも小さくなるように制御される。図６(D)は輪郭補正量の制御をコアリング量で行う場合の一例を示しており、コアリング量を大きくすることにより輪郭補正量を下げるように動作する。輪郭補正量の制御については、前述のように、利得制御を用いてもよいことは言うまでもない。
【００２６】
以上の制御によれば、比較的ノイズが目立ちやすい低い輝度ではノイズを軽減し、高い輝度レベルでは、輪郭補正の効果を保持することができる。本実施形態の構成は、ノイズが目立ちやすくなる低輝度領域が予め判明されている場合に有利である。
【００２７】
次に、本発明の更に他の実施形態について図７を参照しつつ説明する。図７において、図１と同一符号のものは同一機能を有するものとする。本実施形態の一例は、図１の実施形態と比較して、輪郭補正回路５とコントラスト調整回路６の順番を入れ替えたものである。本実施形態においても、前述した動作を行うことにより同様の効果が得られる。
【００２８】
次に、本発明の更に他の実施形態について図８を参照しつつ説明する。本実施形態の回路構成は、図５と同一であるものとして説明する。図８(A)は、特徴検出回路３が検出する映像の特徴であり、入力信号の振幅と、最小輝度レベル、最大値輝度レベルを検出するものとする。図８（B）はコントラスト調整回路６の動作を示しており、入力信号振幅を表示ダイナミックレンジまで拡大するような特性とする。次に、図８（C）は、輪郭補正回路５の動作を示している。輪郭補正回路５には、あらかじめ抑圧輝度レベル（F）を設定しておくものとし、輪郭補正回路５では、コントラスト制御６により拡大される輝度レベル以下で、かつ抑圧輝度レベル（F）以下の輝度レベルにおいて、輪郭補正量を下げるように動作する。
【００２９】
以上の制御によって、比較的ノイズが目立ちやすい低い輝度ではノイズを軽減し、高い輝度レベルでは、輪郭補正の効果を保持することができる。
【００３０】
次に、本発明に係る映像信号処理装置をテレビジョン受信機に適用した例として、液晶パネルを用いたテレビジョン受信機の実施形態を図９に示す。液晶パネル２０と、液晶バックライト２１を付加した以外は、図１に示したものと同一であり、同一符号のものは同一機能を有する。輪郭補正回路５およびコントラスト補正回路６は、図１で説明した動作と同様に動作するが、制御回路４は、入力映像の特徴に従って輪郭補正回路５およびコントラスト調整回路６とともに、液晶バックライト２１をも制御する。例えば、全体的に暗い映像が入力された場合には、映像全体が白っぽくならないように、制御回路４は液晶バックライト２１の照度を下げるように制御する。また、全体的に暗い映像が入力された場合、特徴検出回路３によって検出された輝度分布は、輝度レベルが低い領域において高い分布を示すので、制御回路４は当該低輝度領域においてコントラストを上げるようにコントラスト調整回路６を制御する。すなわち、本実施形態では、全体的に暗い映像が入力された場合には、液晶バックライト２１の照度を下げるとともに、コントラスト補正回路６でコントラストを高めるように制御を行うものである。このように制御することにより、暗い映像のコントラストを上げることができる。当然ながら、当該低輝度領域おいては、輪郭補正回路５の輪郭補正量が小さくなるように制御回路４によって制御される。
【００３１】
以上のように、本発明によれば、コントラスト補正回路６と輪郭補正回路５を、映像信号の特徴量に基づいて適応的に連動制御している。これにより、コントラスト補正回路６によりコントラストを上げるように制御した場合には、輪郭補正回路５は補正量を下げるように制御を行うので、ノイズの増幅を軽減しつつコントラストを上げることができる。
【００３２】
また、上記連動制御において、予め抑圧輝度レベルを設定し、この設定輝度レベルよりも低い輝度レベルにおいて輪郭補正回路５の補正量を適応的に制御することにより、高い輝度レベルの輪郭補正効果を保持したうえで、比較的ノイズが目立ちやすい低い輝度レベルのノイズを抑えてコントラストを上げることができる。
【００３３】
さらに、映像１画面分の各階調における輝度レベルの分布を特徴検出回路３で検出し、コントラスト制御回路６では特徴検出回路３で検出した分布が多い輝度階調のコントラストを上げるように制御するとともに、コントラストを上げた輝度レベルについて、輪郭補正回路の補正量を下げるように連動的に制御する。これにより、ノイズを抑えてコントラストを上げることができる。
【００３４】
さらに、上記輪郭補正回路における補正量制御をコアリング量の制御により行うことにより、ノイズ成分を抑制したうえで、本来の映像の輪郭補正効果を保持することができる。
【図面の簡単な説明】
【００３５】
【図１】本発明における映像信号処理装置の実施形態の一例を示すブロック図
【図２】本発明における輪郭補正回路の実施形態の一例を示すブロック図
【図３】本発明における輪郭補正回路の動作例を示す特性図
【図４】本発明における映像信号処理装置の動作例を示す図
【図５】本発明における映像信号処理装置の実施形態の一例を示すブロック図
【図６】本発明における映像信号処理装置の動作例を示す図
【図７】本発明における映像信号処理装置の実施形態の一例を示すブロック図
【図８】本発明における映像信号処理装置の動作例を示す図
【図９】本発明における映像信号処理装置の実施形態の一例を示すブロック図
【符号の説明】
【００３６】
１…映像入力端子、２…映像出力端子、３…特徴検出回路、４…制御回路、５…輪郭補正回路、６…コントラスト調整回路。
【図１】
2005175735.tif 000004
【図２】
2005175735.tif 000005
【図３】
2005175735.tif 000006
【図４】
2005175735.tif 000007
【図５】
2005175735.tif 000008
【図６】
2005175735.tif 000009
【図７】
2005175735.tif 000010
【図８】
2005175735.tif 000011
【図９】
2005175735.tif 000012